(57)【要約】【課題】  清掃ヘッドを狭い高さのスペースに進入可能にするとともに、清掃ヘッドを被清掃面に対して立ててそのエッジにより清掃可能にすること。【解決手段】  柄１０の先端に継手２０を介して回動可能に清掃ヘッド３０を設けた清掃具１であって、清掃ヘッド３０の上面に継手２０を配置する凹部３４を設けるとともに、清掃ヘッド３０の上面の凹部３４から該清掃ヘッド３０の外縁に延在する溝３５を設け、柄１０を上記溝３５に収容可能にしたもの。【選択図】  図２
2006180931.tif 000002
【特許請求の範囲】
【請求項１】
柄の先端に継手を介して回動可能に清掃ヘッドを設けた清掃具であって、
清掃ヘッドの上面に継手を配置する凹部を設けるとともに、清掃ヘッドの上面の凹部から該清掃ヘッドの外縁に延在する溝を設け、柄を上記溝に収容可能にした清掃具。
【請求項２】
前記清掃ヘッドの凹部を中心とする十字方向に前記溝を設けた請求項１に記載の清掃具。
【請求項３】
前記清掃ヘッドの溝に収容した柄を固定するロック手段を備えた請求項１又は２に記載の清掃具。
【発明の詳細な説明】
【技術分野】
【０００１】
本発明は床、引き戸の溝、階段の三角部等を清掃するに好適な清掃具に関する。
【背景技術】
【０００２】
清掃具として、特許文献１に記載の如く、柄の先端に自在継手を介して回動可能に清掃ヘッドを設けたものがある。使用者は柄を介して、清掃ヘッドを被清掃面に押付けつつ、該清掃ヘッドを清掃方向に向けて進退する。この際、柄は、自在継手の存在により、清掃ヘッドに対して自在に回動できる。
【０００３】
更に、特許文献１の清掃具では、清掃時以外の保管時に、柄を清掃ヘッドに殆ど接し、清掃ヘッドの上面に平行をなすように倒した状態で変位しないように、自在継手の回動を一時的に固定する手段を有する。清掃具の保管し易い状態を維持できる。
【特許文献１】特開平9-140652
【発明の開示】
【発明が解決しようとする課題】
【０００４】
特許文献１の清掃具には以下の問題点がある。
(1)清掃ヘッドを家具の下等の狭い高さのスペースに進入できない。柄を清掃ヘッドに殆ど接し、清掃ヘッドの上面に平行をなすように倒したとしても、柄が清掃ヘッドの上面の上方にあって、柄と清掃ヘッドの両者が該清掃ヘッドの清掃作業面（下面）に対してなす高さを低くできないことによる。
【０００５】
(2)清掃ヘッドを被清掃面に対して立ててそのエッジにより引き戸の溝等を清掃しようとするとき、柄の操作に不安定を伴なう。柄を清掃ヘッドに連結する自在継手の回動を一時的に固定したとしても、清掃ヘッドの上面に平行をなすように倒した柄と該清掃ヘッドとは自在継手で連結されているだけであり、柄に加える操作力によって清掃ヘッドをそのエッジの長手方向に沿う方向にスムースに移動させることには困難がある。
【０００６】
本発明の課題は、清掃ヘッドを狭い高さのスペースに進入可能にするとともに、清掃ヘッドを被清掃面に対して立ててそのエッジにより清掃可能にすることにある。
【課題を解決するための手段】
【０００７】
請求項１の発明は、柄の先端に継手を介して回動可能に清掃ヘッドを設けた清掃具であって、清掃ヘッドの上面に継手を配置する凹部を設けるとともに、清掃ヘッドの上面の凹部から該清掃ヘッドの外縁に延在する溝を設け、柄を上記溝に収容可能にしたものである。
【発明を実施するための最良の形態】
【０００８】
清掃具１は、図１〜図４に示す如く、柄１０の先端に設けた自在継手２０に清掃ヘッド３０を連結し、柄１０の先端部において清掃ヘッド３０を清掃進み方向に対する前後左右と任意の方向に自在に回動可能にする。
【０００９】
柄１０は、複数本の円筒状の分割体からなるものであるが、自在継手２０が設けられる最先端の分割体だけを図示してある。
【００１０】
自在継手２０は、清掃ヘッド３０の後述するヘッド部３２の上面中央部で相対する２位置、本実施例では清掃具１の通常の清掃進み方向（Ｙ方向）に直交する左右２位置に起立させた第１支持部２１、２１と、柄１０の先端で二股状をなすように突出させた、本実施例では清掃具１の通常の清掃進み方向に沿う前後に二股状をなすように突出させた第２支持部２２、２２と、第１支持部２１と第２支持部２２を交差状に連結する連結部材２３とを有する。第１支持部２１と第２支持部２２を連結部材２３にて交差状に連結することで、柄１０を清掃ヘッド３０に対して前後左右等すべての方向に向けて任意の角度に自在に変更することができる。さらに、柄１０を軸として回動することによって、清掃ヘッド２０を任意の方向に自在に回動することができる。
【００１１】
清掃ヘッド３０は、弾性クッション体からなるベース３１と、ベース３１の上部の合成樹脂製ヘッド部３２とからなる。ベース３１とヘッド部３２は平面視矩形状をなし、長辺方向をＸ方向、短辺方向をＹ方向とし、Ｙ方向を清掃具１の前述した通常の清掃進み方向とする。清掃ヘッド３０は、ベース３１の外縁（エッジ３１Ｘ、３１Ｙ）をその全周においてヘッド部３２の外縁より外方に張出し形成してある。清掃ヘッド３０は、ベース３１の下面（被清掃面たる床面を滑る清掃作業面になる）まわりに清掃シート（不図示）を巻付け可能にし、この清掃シートを係止可能にするシート係止具３３をヘッド部３２の上面の４隅に備える。ヘッド部３２は、Ｘ方向及び／又はＹ方向に側面視した場合に、側面をＲ状に形成してある（下面が平坦な扁平な半円形状をなすものであっても良い）。ヘッド部３２の上面には、ベース３１の下面と概ね平行をなす面を備える。液剤を含浸させた清掃シートにより床面を湿式拭き可能にする他、液剤を含浸させない清掃シートにより床面を乾式拭き可能にする。
【００１２】
尚、清掃ヘッド３０は、清掃シートを伴うことを必須とせず、ベース３１の底部にスポンジシート等を取付しても良い。
【００１３】
清掃具１は、清掃ヘッド３０のヘッド部３２の上面中央に自在継手２０を配置する凹部３４を設けるとともに、ヘッド部３２の上面の凹部３４からヘッド部３２の外縁に延在する溝３５を設け、柄１０を溝３５に収容可能にする。好適には、凹部３４と溝３５の深さは、柄１０の直径と概ね同一をなし、さらに好適には、自在継手２０の全高と概ね同一をなす。
【００１４】
清掃具１は、清掃ヘッド３０のヘッド部３２の凹部３４に設けた自在継手２０を中心とする十字方向に溝３５を設けた。即ち、清掃ヘッド３０は、ヘッド部３２の長辺方向のＸ方向において、凹部３４の両側に設けられる２つの溝３５ＸＡ、３５ＸＢと、ヘッド部３２の短辺方向のＹ方向において、凹部３４の両側に設けられる２つの溝３５ＹＡ、３５ＹＢを備える。
【００１５】
清掃具１は、清掃ヘッド３０のヘッド部３２に設けた溝３５にロック手段３６を備え、溝３５に収容した柄１０を固定可能にする。即ち、清掃ヘッド３０は、溝３５ＸＡの両側面の上部に相対するロック爪３６ＸＡ、３６ＸＡを備え、溝３５ＸＢの両側面の上部に相対するロック爪３６ＸＢ、３６ＸＢを備え、溝３５ＹＡの両側面の上部に相対するロック爪３６ＹＡ、３６ＹＡを備え、溝３５ＹＢの両側面の上部に相対するロック爪３６ＹＢ、３６ＹＢを備える。相対するロック爪３６ＸＡ等は、ロック手段３６を構成するものであり、柄１０の最大外径部が溝３５に対して通過するときに弾発的に拡幅し、その後弾発的に復元してその最大外径部を弾発的に係止可能にする。
【００１６】
従って、清掃具１は以下の如くに使用される。
清掃具１の通常使用時には、柄１０を清掃ヘッド３０の上面の溝３５から外す。使用者は、柄１０が清掃ヘッド３０の上面に対して適宜の角度をなすように、柄１０を自在継手２０の存在により清掃ヘッド３０に対して自在に回動させながら、清掃ヘッド３０を被清掃面に押付けつつ、該清掃ヘッド３０を清掃方向に向けて進退する。
【００１７】
清掃具１により家具の下等の狭い高さのスペースで床面を清掃したり、引き戸の溝や階段の三角部等を清掃するときには、柄１０を清掃ヘッド３０の上面の溝３５に収容し、この柄１０をロック手段３６により固定化する。図１、図２は柄１０をＹ方向の溝３５ＹＡに収容し、ロック爪３６ＹＡにより固定化したものである。図３、図４は柄１０をＸ方向の溝３５ＸＡに収容し、ロック爪３６ＸＡにより固定化したものである。
【００１８】
従って、本実施例によれば以下の作用効果を奏する。
（請求項１）
(a)柄１０を清掃ヘッド３０の上面の凹部３４に設けた自在継手２０まわりで清掃ヘッド３０の上面に概ね平行をなすように倒したとき、柄１０を清掃ヘッド３０の上面の溝３５に収容できる。従って、柄１０と清掃ヘッド３０の両者が該清掃ヘッド３０の清掃作業面（下面）に対してなす高さを低くでき、この清掃ヘッド３０は柄１０に操作されながら家具の下等の狭い高さのスペースに進入できる。
【００１９】
(b)柄１０を清掃ヘッド３０の上面の溝３５に収容し、清掃ヘッド３０を被清掃面に対して立てたとき、柄１０は自在継手２０により清掃ヘッド３０に連結されるとともに、清掃ヘッド３０の溝３５の両側面に挟み込み可能にされる。このとき、柄１０に加えられて清掃ヘッド３０をそのエッジ３１Ｘ、３１Ｙの長手方向に沿う方向に移動させようとする操作力は、自在継手２０と、溝３５の側面を経て清掃ヘッド３０に伝わり、清掃ヘッド３０をそのエッジ３１Ｘ、３１Ｙの長手方向に沿う方向にスムースに移動させる。柄１０の操作に不安定を伴なうことなく、清掃ヘッド３０を被清掃面に対して立ててそのエッジ３１Ｘ、３１Ｙにより清掃できる。
【００２０】
（請求項２）
(c)清掃ヘッド３０の凹部３４を中心とする十字方向に溝３５を設けたから、図１又は図３に示す如く、柄１０を矩形状の清掃ヘッド３０のＸ方向（長辺方向）とＹ方向（短辺方向）のいずれにも倒し、当該柄１０を清掃ヘッド３０の上面のＸ方向の溝３５ＸＡ、３５ＸＢ又はＹ方向の溝３５ＹＡ、３５ＹＢのいずれかに収容できる。柄１０を図１に示す如くにＹ方向の溝３５ＹＡに収容したときには、図２（Ａ）に示す如く、清掃ヘッド３０の下面を被清掃面に沿わせ、Ｘ方向を清掃進み方向に対し直交させて広巾をなす清掃作業面により、前述(a)の狭い高さのスペースに進入してその被清掃面を清掃し、又は図２（Ｂ）に示す如く、清掃ヘッド３０を立て、Ｘ方向に沿うベース３１の長いエッジ３１Ｘにより前述(b)の被清掃面を清掃できる。他方、柄１０を図３に示す如くＸ方向の溝３５ＸＡに収容したときには、図４（Ａ）に示す如く、清掃ヘッド３０の下面を被清掃面に沿わせ、Ｙ方向を清掃進み方向に対し直交させて狭巾をなす清掃作業面により、前述(a)の狭い高さのスペースに進入してその被清掃面を清掃し、又は図４（Ｂ）に示す如くに、清掃ヘッド３０を立て、Ｙ方向に沿うベース３１の短いエッジ３１Ｙにより前述(b)の被清掃面を清掃できる。
【００２１】
（請求項３）
(d)清掃ヘッド３０の溝３５に収容した柄１０を固定するロック手段３６を備えたから、清掃ヘッド３０の溝３５に対する柄１０の収容状態を安定維持できる。
【図面の簡単な説明】
【００２２】
【図１】図１は清掃具の柄を清掃ヘッドのＹ方向の溝に収容した状態を示す平面図である。
【図２】図２は図１の清掃具を示し、（Ａ）は清掃ヘッドを狭い高さのスペースに進入可能にする状態を示す斜視図、（Ｂ）は清掃ヘッドのエッジにより被清掃面を清掃可能にする状態を示す斜視図である。
【図３】図３は清掃具の柄を清掃ヘッドのＸ方向の溝に収容した状態を示す平面図である。
【図４】図４は図３の清掃具を示し、（Ａ）は清掃ヘッドを狭い高さのスペースに進入可能にする状態を示す斜視図、（Ｂ）は清掃ヘッドのエッジにより被清掃面を清掃可能にする状態を示す斜視図である。
【符号の説明】
【００２３】
１  清掃具
１０  柄
２０  自在継手（継手）
３０  清掃ヘッド
３４  凹部
３５、３５ＸＡ、３５ＸＢ、３５ＹＡ、３５ＹＢ  溝
３６  固定手段
３６ＸＡ、３６ＸＢ、３６ＹＡ、３６ＹＢ  ロック爪
【図１】
2006180931.tif 000003
【図２】
2006180931.tif 000004
【図３】
2006180931.tif 000005
【図４】
2006180931.tif 000006